(57)【要約】      （修正有）【課題】板状タンブラーを用いたマンホール用タンプラー錠の作動を確実にすること。【解決手段】往復移動して施錠または解錠するカンヌキ５と、上記カンヌキに固着され、カム受け部および該カム受け部の両側にカム逃し部を有するカム受け部材（大アオリ）６と、上記カム受け部材に固着されたツク７と、キーにより回転し、回転初期と回転終期には先端１２ａが上記カム受け部材のカム逃し部を通過し、回転中期には先端が上記カム受け部材のカム受け部を押圧するカム（ロッキングプレート）１２と、上記カンヌキの移動方向と交わる方向に移動可能に支持され、上記カンヌキの移動方向に並ぶ一対のツク孔１５ｂ、該ツク孔を互いに連通するゲート孔１５ｃおよびキーが挿入される空所１５ａを有する複数のタンブラー板１５とを備えたタンブラー錠であって、上記各タンブラー板が相互に隙間を隔てて保持されることを特徴とする。【選択図】          図１
2004244927.tif 000002
【特許請求の範囲】
【請求項１】
往復移動して施錠または解錠するカンヌキと、
上記カンヌキに固着され、カム受け部および該カム受け部の両側にカム逃し部を有するカム受け部材（大アオリ）と、
上記カム受け部材に固着されたツクと、
キーにより回転し、回転初期と回転終期には先端が上記カム受け部材のカム逃し部を通過し、回転中期には先端が上記カム受け部材のカム受け部を押圧するカム（ロッキングプレート）と、
上記カンヌキの移動方向と交わる方向に移動可能に支持され、上記カンヌキの移動方向に並ぶ一対のツク孔、該ツク孔を互いに連通するゲート孔およびキーが挿入される空所を有する複数のタンブラー板とを備えたタンブラー錠であって、
上記空所は中央部が弧状に削られて腹を形成しており、
該空所に挿入されたキーの回転初期には該空所の内縁が該キーのキザミに押圧され該タンブラー板が付勢力に抗して移動し、回転中期には該キザミは該タンブラー板を移動させることなく上記腹に沿って回転し、回転終期には該キザミが該空所の内縁から離反して、該タンブラー板が付勢力により元の位置に戻るようになっているとともに、
上記ゲート孔の位置は上記複数の各タンブラー板によって異なり、
上記キーの回転初期に上記タンブラー板が移動した時に全て上記ツクの位置と一致するようになっているものにおいて、
上記各タンブラー板が相互に隙間を隔てて保持されることを特徴とするタンブラー錠。
【請求項２】
往復移動して施錠または解錠するカンヌキと、
上記カンヌキに固着され、カム受け部および該カム受け部の両側にカム逃し部を有するカム受け部材（大アオリ）と、
上記カム受け部材に固着されたツクと、
キーにより回転し、回転初期と回転終期には先端が上記カム受け部材のカム逃し部を通過し、回転中期には先端が上記カム受け部材のカム受け部を押圧するカム（ロッキングプレート）と、
上記カンヌキの移動方向と交わる方向に移動可能に支持され、上記カンヌキの移動方向に並ぶ一対のツク孔、該ツク孔を互いに連通するゲート孔およびキーが挿入される空所を有する複数のタンブラー板とを備えたタンブラー錠であって、
上記空所は中央部が弧状に削られて腹を形成しており、
該空所に挿入されたキーの回転初期には該空所の内縁が該キーのキザミに押圧され該タンブラー板が付勢力に抗して移動し、回転中期には該キザミは該タンブラー板を移動させることなく上記腹に沿って回転し、回転終期には該キザミが該空所の内縁から離反して、該タンブラー板が付勢力により元の位置に戻るようになっているとともに、
上記ゲート孔の位置は上記複数の各タンブラー板によって異なり、
上記キーの回転初期に上記タンブラー板が移動した時に全て上記ツクの位置と一致するようになっているものにおいて、
上記キーが上記カンヌキの移動方向に対応する２箇所の回転位置で抜差しできるよう構成されたことを特徴とするタンブラー錠。
【請求項３】
上記キーの回転終期において、該キーのキザミにより上記付勢力の方向に移動し、上記複数のタンブラー板を該方向に押圧する強制下げタンブラーが設けられたことを特徴とする請求項１または請求項２いずれか記載のタンブラー錠。
【発明の詳細な説明】
【０００１】
【発明の属する技術分野】
本発明は板状タンブラーを用いたタンブラー錠、特にマンホール錠として好適なタンブラー錠に関する。
【０００２】
【従来の技術】
図２１は板状タンブラーを用いた従来のタンブラー錠の一例を示すもので図２１（ａ）は縦断側面図、図２１（ｂ）は図２１（ａ）の前蓋を取外して左方から見た正面図である。
【０００３】
このタンブラー錠は、箱形で上下端部にフランジ０１ａを有する外ケース０１と、この外ケース０１に取付けられた前蓋０３とから成る容器内に主要部が収納される。そして上記外ケース０１がフランジ０１ａのボルト孔０１ｂに挿入されるボルト（図示せず）により図示しない扉体の裏側（内側）等に取付けられる。
【０００４】
０５は外ケース０１の左右両側板を貫通して摺動自在に配されたデッドボルト（カンヌキ）であって、このデッドボルト０５の左右移動（左右いずれの方向へ突出するか）によって、タンブラー錠が施錠または解錠される。このデッドボルト０５には、中央部に下縁から上方へ深く切れ込んだカム受け部０５ａが形成されており、またこの切れ込み部の下端は八の字に開いてカム逃し部０５ｂを形成している。そしてカム受け部０５ａの上方のデッドボルト０５前面には、前方へ突出するツク０７が固着されている。
【０００５】
上記前蓋０３の前面には、図示しない扉体等を貫通して前方へ延びるパイプ０９がねじ止めされている。このパイプ０９には内向きフランジ０９ａが設けられ、その内向きフランジ０９ａには下端に切欠ぎ０９ｂが設けられている。
【０００６】
上記外ケース０１と前蓋０３とから成る容器内には、上記パイプ０９の軸線と同軸にスリーブ０１１が配され、外ケース０１の底板と前蓋０３とによって回転自在に支持されている。このスリーブ０１１には軸線と平行に鍵穴０１１ａが形成されている。このスリーブ０１１にはまた一部に平行切欠部が形成されており、この平行切欠部にロッキングプレート（カム）０１２が取付けられて、後スリーブ１１と一体に回転するようになっている。
【０００７】
上記外ケース０１には左右端部の上下合計４箇所にネジ台（タンブラー保持ピン）０１６がカシメによって取付けられている。このネジ台０１６の前部は小径部０１６ａを形成し、前端にメネジ孔０１６ｂが設けられている。前記前蓋０３は、このメネジ孔０１６ｂにねじ止めされるのである。
【０００８】
次に０１５はタンブラー板である。このタンブラー板０１５は、下端に大きな方形の切欠ぎ（空所）０１５ａが設けられている。そしてその切欠ぎ（空所）０１５ａは上縁中央が上方へ弧状に削られて腹０１５ｆを形成している。またタンブラー板０１５の中央部には、左右１対のツク孔０１５ｂ、ツク孔０１５ｂと、それらツク孔０１５ｂを連通するゲート孔０１５ｃが設けられる。更に上端には後述のタンブラーバネ０１７が挿入されるバネ受けスリット０１５ｄが設けられる。
【０００９】
このタンブラー板０１５は、ゲート孔０１５ｃの高さ位置の異なるものが複数枚（図示例では５枚）重ねられ、前記タンブラー保持ピン０１６の小径部０１６ａの間に挿入されて左右両縁が支持され、上下方向に摺動自在に配置される。また上端のバネ受けスリット０１５ｄにタンブラーバネとして板バネ０１７が取付けられ、各タンブラー板０１５を常時下方へ向けて付勢している。そして前記デッドボルト０５に取付けられたツク０７が全てのタンブラー板０１５の一方のツク孔０１５ｂ内に、前記スリーブ０１１が全てのタンブラー板０１５の切欠ぎ（空所）０１５ａ内に、それぞれ挿入されている。
【００１０】
上記のようなタンブラー錠の施錠状態または解錠状態において、パイプ９の切欠ぎ０９ｂからスリーブ０１１の鍵穴０１１ａに図示しないキーを挿入する。キーに設けられた切込みがパイプ０９の内向きフランジ０９ａの位置まで来ると、内向きフランジ０９ａとその切込みとが係合した状態でキーを廻すことができる。
【００１１】
キーが回転すると、まず各タンブラー板０１５の切欠ぎ０１５ａ上縁にキーのキザミが当接してタンブラー板０１５を押し上げる。この場合、各タンブラー板０１５のゲート孔０１５ｃの高さ位置とキーのキザミとの関係は、タンブラー板０１５が押し上げられた時点で、各タンブラー板０１５のゲート孔０１５ｃがすべて前記デッドボルト０５に固着されたツク０７と同じ高さになるようにされている。一方、キーの回転によりスリーブ０１１が同じ角度だけ回転し、スリーブ０１１に取付けられたロッキングプレート（カム）０１２がスリーブ０１１と一体に回転する。そしてロッキングプレート０１２の先端がデッドボルト０５の一方のカム逃し部０５ｂに沿って上昇する。
【００１２】
キーを更に廻すと、ロッキングプレート０１２の先端がデッドボルト０５のカム受け部０５ａに当接して、デッドボルト０５を側方へ押圧する。この時タンブラー板０１５の位置では、キーのキザミがタンブラー板０１５の切欠ぎ０１５ａの上縁中央に形成された弧状の腹０１５ｆに沿って回転するので、タンブラー板０１５は上下運動しない。そして、各タンブラー板０１５のゲート孔０１５ｃがすべてデッドボルト０５に固定されたツク０７と同じ高さになっているので、ツク０７は各タンブラー板０１５のゲート孔０１５ｃを左右方向に通過することができ、したがってロッキングプレート０１２の先端により押圧されたデッドボルト０５が側方へ移動する。こうして施錠状態から解錠状態へ、または解錠状態から施錠状態へ移行する。この時ツク０７は各タンブラー板０１５の他方のツク孔０１５ｂ内に達している。
【００１３】
キーが更に回転すると、ロッキングプレート０１２の先端はデッドボルト０５のカム受け部０５ａを外れ、他方のカム逃し部０５に沿って下降するので、デッドボルト０５はそれ以上側方へ移動することはない。またキーのキザミはタンブラー板０１５の切欠ぎ０１５ａ上縁中央の弧状の腹０１５ｆを外れて下方へ離反してゆくので、タンブラー板０１５はタンブラーバネ０１７の付勢力によって下方へ移動し、切欠ぎ０１５ａの上縁の腹０１５ｆがスリーブ０１１に当接するようになる。そしてキーが挿入時から３６０°回転すると、パイプ９の切欠ぎ０９ｂからキーを引き抜くことができる。またこの時、各タンブラー板０１５のゲート孔０１５ｃの高さ位置はマチマチになっていて、ツク０７の通過を許さないから、デッドボルト０５は側方へ移動することはできず、施錠状態または解錠状態が維持される。
【００１４】
【解決しようとする課題】
前記従来のタンブラー錠においては、各タンブラー板０１５が互いに密着して重ねられているので、相互間の摩擦力が大きく、タンブラー板０１５の作動が不確実でタンブラー錠として故障しやすかった。またタンブラーバネとして板バネ０１７を用いざるを得ないので、設計の自由度が小さいばかりでなく、バネ相互の干渉が起きやすかった。したがって、バネが正常に機能せず、施錠状態または解錠状態に移行した後も、タンブラー板０１５が所定の位置に戻っていないことがあった。
【００１５】
従来のタンブラー錠ではまた、パイプ０９の内向きフランジ０９ａの下端に切欠ぎ０９ｂが設けられているだけなので、キーはその位置でしか抜き差しできず、キーを引き抜いた後、タンブラー錠が施錠状態であるか、解錠状態であるかを、眼で見ただけでは判別困難であった。特にタンブラー錠をマンホールの錠として用いる場合、重いマンホール蓋をゆすることは困難であり、施解錠状態の確認は事実上できなかった。
【００１６】
【課題を解決するための手段および効果】
前記従来の課題を解決するために、請求項１記載の発明は、往復移動して施錠または解錠するカンヌキと、上記カンヌキに固着され、カム受け部および該カム受け部の両側にカム逃し部を有するカム受け部材（大アオリ）と、上記カム受け部材に固着されたツクと、キーにより回転し、回転初期と回転終期には先端が上記カム受け部材のカム逃し部を通過し、回転中期には先端が上記カム受け部材のカム受け部を押圧するカム（ロッキングプレート）と、上記カンヌキの移動方向と交わる方向に移動可能に支持され、上記カンヌキの移動方向に並ぶ一対のツク孔、該ツク孔を互いに連通するゲート孔およびキーが挿入される空所を有する複数のタンブラー板とを備えたタンブラー錠であって、上記空所は中央部が弧状に削られて腹を形成しており、該空所に挿入されたキーの回転初期には該空所の内縁が該キーのキザミに押圧され該タンブラー板が付勢力に抗して移動し、回転中期には該キザミは該タンブラー板を移動させることなく上記腹に沿って回転し、回転終期には該キザミが該空所の内縁から離反して、該タンブラー板が付勢力により元の位置に戻るようになっているとともに、上記ゲート孔の位置は上記複数の各タンブラー板によって異なり、上記キーの回転初期に上記タンブラー板が移動した時に全て上記ツクの位置と一致するようになっているものにおいて、上記各タンブラー板が相互に隙間を隔てて保持されることを特徴とする。
【００１７】
請求項１記載の発明は上記のとおり構成され、各タンブラー板が相互に隙間を隔てて保持されるので、従来のようにタンブラー板同士が面接触する場合に比べて、タンブラー板の作動が円滑かつ確実であり、故障しにくい。またタンブラー板間に隙間があるので、タンブラーバネとしてバネ芯付きのコイルバネを用いることができ、従来の板バネに比べて、バネ相互の干渉の恐れが少なく、設計も容易である。
【００１８】
次に請求項２記載の発明は、往復移動して施錠または解錠するカンヌキと、上記カンヌキに固着され、カム受け部および該カム受け部の両側にカム逃し部を有するカム受け部材（大アオリ）と、上記カム受け部材に固着されたツクと、キーにより回転し、回転初期と回転終期には先端が上記カム受け部材のカム逃し部を通過し、回転中期には先端が上記カム受け部材のカム受け部を押圧するカム（ロッキングプレート）と、上記カンヌキの移動方向と交わる方向に移動可能に支持され、上記カンヌキの移動方向に並ぶ一対のツク孔、該ツク孔を互いに連通するゲート孔およびキーが挿入される空所を有する複数のタンブラー板とを備えたタンブラー錠であって、上記空所は中央部が弧状に削られて腹を形成しており、該空所に挿入されたキーの回転初期には該空所の内縁が該キーのキザミに押圧され該タンブラー板が付勢力に抗して移動し、回転中期には該キザミは該タンブラー板を移動させることなく上記腹に沿って回転し、回転終期には該キザミが該空所の内縁から離反して、該タンブラー板が付勢力により元の位置に戻るようになっているとともに、上記ゲート孔の位置は上記複数の各タンブラー板によって異なり、上記キーの回転初期に上記タンブラー板が移動した時に全て上記ツクの位置と一致するようになっているものにおいて、上記キーが上記カンヌキの移動方向に対応する２箇所の回転位置で抜差しできるよう構成されたことを特徴とする。
【００１９】
このように請求項２記載の発明では、キーが上記カンヌキの移動方向に対応する２箇所の回転位置で抜差しできるよう構成されているので、キーを抜き取った後の鍵穴を見ることにより、タンブラー錠が施錠状態であるか、それとも解錠状態であるかを、一目で確認することができる。
【００２０】
また請求項３記載の発明は、前記請求項１または請求項２いずれか記載の発明において、上記キーの回転終期において、該キーのキザミにより上記付勢力の方向に移動し、上記複数のタンブラー板を該方向に押圧する強制下げタンブラーが設けられたことを特徴とするものである。
【００２１】
したがって請求項３記載の発明によれば、各タンブラー板に作用する付勢力が何等かの原因で不足する場合でも、施錠または解錠後、各タンブラー板を確実に正常の位置に戻すことができる。
【００２２】
【発明の実施の形態】
図１は本発明の一実施例の構造を示す図で、図１（ａ）は縦断側面図（図１（ｂ）のＡ−Ａ矢視断面）、図１（ｂ）は図１（ａ）のカバー４を取外して左方から見た背面図である。
【００２３】
本実施例のタンブラー錠は、コ字状断面の外ケース１にリベット２で固定された内ケース３とカバー４とから成る容器内に主要部が収納される。上記外ケース１がボルト孔１ａに挿入されるボルト（図示せず）により図示しない扉体等の裏側（内側）に取付けられる。
【００２４】
５は外ケース１の左右両側板を貫通して摺動自在に配されたカンヌキであって、このカンヌキ５の左右移動によって、タンブラー錠が施錠または解錠される。
【００２５】
図２は、カム受け部材（大アオリ）６とこのカム受け部材６に一体的に固定されたツク７を示す図で、図２（ａ）は正面図、図２（ｂ）は側面図である。このカム受け部材６がねじ８（図１（ｂ）参照）によってカンヌキ５の前面に取付けられる。カム受け部材６の下部は上方へ深く切れ込んでカム受け部６ａを形成しており、またこの切れ込み部の下端は八の字に開いてカム逃し部６ｂを形成している。
【００２６】
前記内ケース３の前面には、外ケース１および図示しない扉体等を貫通して、前方に延びるパイプ９が固着される。このパイプ９の内部に前スリーブ１０が回転自在に配され、この前スリーブ１０の後端に前端が嵌合された後スリーブ１１の後端が、カバー４によって回転自在に支持されている（図１（ａ）参照。）。なおパイプ９の前端には、外周にオネジが加工され、キャップ２５が装着される。
【００２７】
図３は前スリーブ１０を取出して示す図で、図３（ａ）は平面図、図３（ｂ）は側面図、図３（ｃ）は背面図、図３（ｄ）は正面図、図３（ｅ）は図３（ｂ）のＥ−Ｅ矢視断面図、図３（ｆ）は同じくＦ−Ｆ矢視断面図である。また図４は後スリーブ１１を取出して示す図で、図４（ａ）は平面図、図４（ｂ）は側面図、図４（ｃ）は背面図、図４（ｄ）は正面図、図４（ｅ）は図４（ｂ）のＥ−Ｅ矢視断面図、図４（ｆ）は同じくＦ−Ｆ矢視断面図、図４（ｇ）は同じくＧ−Ｇ矢視断面図である。
【００２８】
前スリーブ１０後端の平行切欠部１０ａと後スリーブ１１前端の平行切欠部１１ａとが互いに嵌合して、前スリーブ１０と後スリーブ１１とは一体に回転する。また前スリーブ１０と後スリーブ１１の長手方向には、共通の鍵穴１０ｃ、１１ｃが形成されている。
【００２９】
後スリーブ１１には、後部にも平行切欠部１１ｂが形成されていて、この平行切欠部１１ｂに、図５に形状が示されるカム（ロッキングプレート）１２が取付けられ、後スリーブ１１と一体に回転するようになっている。そしてそのカム１２が後方（図１（ａ）で左方）へ移動するのを阻止するために、カラー１３が配置される。またカム１２の回転を制限するためカムストッパー１４が設けられている。これにより、カム１２だけでなく、前スリーブ１０、後スリーブ１１も回転角度は１８０°の範囲に制限される。
【００３０】
次に図６はタンブラー板１５の形状を示す正面図である。このタンブラー板１５の下部には、上辺中央が上方に弧状に削られて腹１５ｆを形成する方形の角孔（空所）１５ａが設けられている。また中央部には、左右１対のツク孔１５ｂ、１５ｂと、それらツク孔１５ｂを互いに連通するゲート孔１５ｃが設けられている。更に上端には、後述のタンブラーバネ１７とそのバネ芯１８が挿入されるバネ受けスリット１５ｄと、後述の強制下げピン２１が当接するピン受け肩１５ｅが設けられる。このタンブラー板１５は、ゲート孔１５ｃの高さ位置Ｈの異なるものが複数枚（図示例では５枚）用意される。
【００３１】
図７はタンブラー保持ピン１６を示す図で、図７（ａ）は側面図、図７（ｂ）は頭側（図７（ａ）の左方）から見た図、図７（ｃ）は先端側（図７（ａ）の右方）から見た図である。このタンブラー保持ピン１６の側面には、タンブラー板１５等の厚さに相応する幅の円周溝１６ａが複数条（図示例では６条）設けられている。また頭部には、メネジ孔１６ｂが設けられている。
【００３２】
このタンブラー保持ピン１６の先端部（図７（ａ）で右端）が、内ケース３の左右端部の上下合計４箇所にカシメまたはネジ止めによって取付けられる。そして、前記複数枚のタンブラー板１５の左右両縁がタンブラー保持ピン１６の円周溝１６ａに挿入されて、互いに間隙を保ちつつ、上下方向に摺動自在に保持される（図１（ａ）参照。）。また、内ケース３の天井面に設けられた小孔に先端が挿入されたバネ芯１８の下部がタンブラー板１５のバネ受けスリット１５ｄに挿入され、タンブラーバネとしてコイルバネ１７が嵌装されて、タンブラー板１５を常時下方へ向けて付勢している。そして、前記カンヌキ５に取付けられたカム受け部材６のツク７が全てのタンブラー板１５の一方のツク孔１５ｂに、前記後スリーブ１１の円筒部１１ｄが全てのタンブラー板１５の角孔１５ａに、それぞれ挿入されている。
【００３３】
なお、前記カムストッパー１４は、これらタンブラー保持ピン１６のうち下の２本の後部（図７（ａ）の左部）に取付けられる。
【００３４】
次に図８は、強制下げタンブラー２０を示す図で、図８（ａ）は背面図、図８（ｂ）は側面図である。この強制下げタンブラー２０は板状で、厚さは前記タンブラー板１５と等しく、その下部には、下半部の幅が前記後スリーブ１１のフランジ部１１ｅ外径に相応し、下端は円弧状、上半部は幅が急に広くなって肩部２０ｂを形成し、上端が大きな円弧状を呈する後スリーブ挿入孔２０ａが設けられている。また上端には、前記タンブラー板１５と同様、タンブラーバネ１７とそのバネ芯１８が挿入されるバネ受けスリット２０ｃが設けられる。更に右上端部には、前記タンブラー板１５のピン受け肩１５ｅに当接する強制下げピン２１が固着されている。２０ｄは重量軽減のための角孔である。
【００３５】
この強制下げタンブラー２０は、前記タンブラー板１５と同様に、左右両縁がタンブラー保持ピン１６の円周溝１６ａに挿入されて、タンブラー板１５とは間隙を保ちつつ、上下方向に摺動自在に保持される（図１（ａ）参照。）。そして、後スリーブ挿入孔２０ａに前記後スリーブ１１の円筒部１１ｄが挿入される。また前記タンブラー板１５と同様に、バネ受けスリット２０ｃに挿入・嵌装されたタンブラーバネ１７とバネ芯１８によって、常時下方へ向けて付勢されている。
【００３６】
次に図９は本実施例のタンブラー錠を施解錠するキーの側面図である。このキー２３は板状で、側面には溝も凹みも設けられていない。２３ａはキーの回転軸線、２３ｂは各タンブラー板１５に相応して角孔１５ａ上縁に当接するキザミ、２３ｃは強制下げタンブラー２０の後スリーブ挿入孔２０ａ内面の肩部２０ｂに当接するキザミである。また２３ｄは後述のパイプ９の内向きフランジ９ａに係合する切込みである。
【００３７】
図１０は、本実施例のタンブラー錠の正面図の一部で、前記前スリーブ１０を内装するパイプ９を前面から見た図である（図１（ａ）参照。）。ただしキャップ２５が取外された状態を示す。パイプ９には、前端に内向きフランジ９ａが設けられていて、前スリーブ１０の脱落を阻止するとともに、キー２３の切込み２３ｄと係合してキーの長手方向位置を確定し、その回転を円滑にする。すなわち、キーが回転途中で抜けたり、充分差込まれていない状態で廻ったり、しないようになっている。この内向きフランジ９ａには左右２箇所に切欠ぎ９ｂが設けられていて、キー２３はこの切欠ぎ９ｂの位置で抜き差しすることができる。すなわち、キー２３を抜いた後に、前スリーブ１０の鍵穴１０ｃは１８０°回転した左右いずれかを向いている。
【００３８】
上記のようなタンブラー錠の施錠状態または解錠状態において、キャップ２５を取外し、パイプ９の一方の切欠ぎ９ｂから前スリーブ１０、後スリーブ１１の鍵穴１０ｃ、１１ｃにキー２３を一番奥まで挿入する。このとき、キー２３の各キザミ２３ｂは各タンブラー板１５の位置、キザミ２３ｃは強制下げタンブラー２０の位置、切込み２３ｄはパイプ９の内向きフランジ９ａの位置に来る。このようにパイプ９の内向きフランジ９ａの位置にキー２３の切込み２３ｄが来ているので、内向きフランジ９ａと切込み２３ｄとが係合した状態で、キー２３を廻すことができる（図１１参照。）。
【００３９】
キー２３が回転すると、まず各タンブラー板１５の角孔１５ａ上辺に当接するキザミ２３ｂによりタンブラー板１５が押し上げられ、各タンブラー板１５のゲート孔１５ｃがすべてカム受け部材６に固定されたツク７と同じ高さになる。一方、キー２３の回転により後スリーブ１１が同じ角度だけ回転し、後スリーブ１１の平行切欠部１１ｂに取付けられたカム１２が、後スリーブ１１と一体に回転する。そしてカム１２の先端１２ａがカム受け部材６の一方のカム逃し部６ｂに沿って上昇する（図１２参照。）。
【００４０】
キー２３を更に廻すと、カム１２の先端１２ａがカム受け部材６のカム受け部６ａに当接して、カム受け部材（大アオリ）６を側方へ押圧する。この時タンブラー板１５の位置では、キー２３のキザミ２３ｂがタンブラー板１５の角孔１５ａの上辺中央に形成された弧状の腹１５ｆに沿って回転するので、タンブラー板１５は上下運動しない。そして各タンブラー板１５のゲート孔１５ｃがすべてカム受け部材６に固定されたツク７と同じ高さになっているので、ツク７は各タンブラー板１５のゲート孔１５ｃを左右方向に通過することができ、したがってカム１２の先端１２ａにより押圧されたカム受け部材６は側方に移動する（図１３参照。）。こうしてカンヌキ５が側方に移動して、施錠状態から解錠状態へ、または解錠状態から施錠状態へ移行する。このときツク７は各タンブラー板１５の他方のツク孔１５ｂ内に達している（図１４参照。）。
【００４１】
キー２３が更に回転すると、カム１２の先端１２ａはカム受け部材６のカム受け部６ａを外れ、他方のカム逃し部６ｂに沿って下降するので、カム受け部材６もカンヌキ５もそれ以上側方へ移動することはない。またキー２３のキザミ２３ｂはタンブラー板１５の角孔１５ａ上辺中央の弧状の腹１５ｆを外れて下方へ離反してゆくので、それを追うように、タンブラー板１５はタンブラーバネ１７の付勢力によって下方へ移動し、角孔１５ａの上縁の弧状の腹１５ｆが後スリーブ１１の円筒部１１ｄに当接するようになる。そしてキー２３が挿入位置から１８０°回転すると、パイプ９の他方の切欠ぎ９ｂからキー２３を引き抜くことができる。またこの時、各タンブラー板１５のゲート孔１５ｃの高さ位置がマチマチになって、ツク７の通過を許さないから、カンヌキ５は側方へ移動することはできず、施錠状態または解錠状態が維持される（図１５参照。）。
【００４２】
次に図１６ないし図２０により強制下げタンブラー２０の作用について説明する。施錠状態または解錠状態でキー２３を鍵穴１０ｃ、１１ｃに挿入した時、キー２３の側面は水平を向いていて、強制下げタンブラー２０の後スリーブ挿入孔２０ａの一方の肩部２０ｂの上に横たわった状態になっている（図１６参照。）。
【００４３】
ここでキー２３を廻わすと、キー２３のキザミ２３ｃは後スリーブ挿入孔２０ａ上部の大きな円弧に沿って回転するが、この時キー２３のキザミ２３ｂはタンブラー板１５の角孔１５ａ上面に当接してタンブラー板１５を持上げつつあり、タンブラー板１５のピン受け肩１５ｅに当接した強制下げピン２１を介して、強制下げタンブラー２０もタンブラーバネ１７の下向き付勢力に抗して持上げられるから、後スリーブ挿入孔２０ａ内に挿入された後スリーブ１１の平行切欠部１１ａは、後スリーブ挿入孔２０ａの幅の狭い下半部に若干進入することになる（図１７、図１８参照。）。
【００４４】
キー２３が挿入位置から１８０°回転すると、キー２３のキザミ２３ｃが後スリーブ挿入孔２０ａの他方の肩部２０ｂに当接し、強制下げタンブラー２０は強制的に押し下げられる（図１９参照。）。そうすると各タンブラー板１５のピン受け肩１５ｅに当接する強制下げピン２１によって、各タンブラー板１５も強制的に押し下げられる。したがって、各タンブラー板１５のバネ受けスリット１５ｄに嵌装されたタンブラーバネ１７の付勢力が何等かの原因で不足しても、各タンブラー板１５は確実に下方へ移動し、角孔１５ａの上縁腹１５ｆが後スリーブ１１の円筒部１１ｄに当接する状態になる。
【００４５】
こうして施錠状態または解錠状態においては、キー２３の側面は水平になり、後スリーブ挿入孔２０ａの肩部２０ｂの上に横たわった状態となる（図２０参照。）。そこでキー２３をパイプ９の他方の切欠ぎ９ｂから引抜く。
【００４６】
本実施例のタンブラー錠においては、各タンブラー板１５がタンブラー保持ピン１６の円周溝１６ａに摺動自在に支持されており、タンブラー板１５相互間に一定の隙間が保たれているので、従来のようにタンブラー板１５同士が面接触する場合に比べて、タンブラー板１５の作動が円滑かつ確実であり、故障が少ない。したがって、多くの塵埃や泥・土砂、更には融雪剤にまで曝されるマンホールの錠にも適用することができる（その場合、錠の前方（図１（ａ）の右方）を上方に向けることになる。）。またタンブラー板１５間に隙間があるので、タンブラーバネとしてバネ芯１８付きのコイルバネ１７を用いることができ、従来の板バネと比較して、バネ相互の干渉の恐れが少なく、設計の自由度も大きい。
【００４７】
本実施例ではまた、前スリーブ１０を包み込むパイプ９の内向きフランジ９ａの、１８０°回った２箇所に切欠ぎ９ｂが設けられており、施錠状態または解錠状態において、この切欠ぎ９ｂからキー２３を抜き取ることができるので、キー２３を抜き取った後の鍵穴１０ｃを眼で見ることにより、タンブラー錠が施錠状態であるか、解錠状態であるかを、一目で確認することができる。タンブラー錠がマンホールの錠に適用された場合、重いマンホールの蓋を施錠確認のため通常の扉のようにゆすることは困難であるから、このことは特に重要である。
【００４８】
また本実施例では、強制下げタンブラー２０が配設され、キー２３の回転によって強制下げタンブラー２０を、更に強制下げピン２１を介して各タンブラー板１５を、各タンブラーバネ１７の開放方向（付勢方向）へ強制的に動かすので、各タンブラーバネ１７の付勢力が何等かの原因で不足しても、各タンブラー板１５は確実に（図１の）下方へ移動し、正常の位置に戻る。
【００４９】
更に本実施例では、パイプ９の前端に内向きフランジ９ａが設けられているので、前スリーブ１０の脱落が阻止されるばかりでなく、キー２３の切込み２３ｄをこの内向きフランジ９ａと係合させることにより、キー２３の回転途中や抜けやキー２３の半差し状態での回転を防止できる。
【００５０】
本実施例のタンブラー錠はまた、パイプ９の先端にキャップ２５が装着されるので、マンホール蓋の施錠に適用される場合でも、泥その他の異物の浸入が阻止され、タンブラー錠の故障が防止される。
【図面の簡単な説明】
【図１】図１は本発明の一実施例の構造を示す図で、図１（ａ）は縦断側面図（図１（ｂ）のＡ−Ａ矢視断面）、図１（ｂ）は図１（ａ）のカバー３を取外して左方から見た背面図である。
【図２】図２は互いに一体的に固定されたカム受け部材（大アオリ）６とツク７を示す図で、図２（ａ）は正面図、図２（ｂ）は側面図である。
【図３】図３は前スリーブ１０を取出して示す図で、図３（ａ）は平面図、図３（ｂ）は側面図、図３（ｃ）は背面図、図３（ｄ）は正面図、図３（ｅ）は図３（ｂ）のＥ−Ｅ矢視断面図、図３（ｆ）は同じくＦ−Ｆ矢視断面図である。
【図４】図４は後スリーブ１１を取出して示す図で、図４（ａ）は平面図、図４（ｂ）は側面図、図４（ｃ）は背面図、図４（ｄ）は正面図、図４（ｅ）は図（ｂ）のＥ−Ｅ矢視断面図、図４（ｆ）は同じくＦ−Ｆ矢視断面図、図４（ｇ）は同じくＧ−Ｇ矢視断面図である。
【図５】図５はカム（ロッキングプレート）１２の形状を示す正面図である。
【図６】図６はタンブラー板１５の形状を示す正面図である。
【図７】図７はタンブラー保持ピン１６を示す図で、図７（ａ）は側面図、図７（ｂ）は頭側（図７（ａ）の左方）から見た図、図７（ｃ）は先端側（図７（ａ）の右方）から見た図である。
【図８】図８は強制下げタンブラー２０を示す図で、図８（ａ）は背面図、図８（ｂ）は側面図である。
【図９】図９は本実施例のタンブラー錠を施解錠するキー２３の側面図である。
【図１０】図１０は本実施例の下部正面図で、パイプ９の前面を示す。
【図１１】図１１ないし図１５は施解錠時におけるキー２３およびカム１２の回転とタンブラー板１５、ツク７、カム受け部材６およびカンヌキ５の動きとの関係を説明する一連の図であって、図１１はその第１段階を示す図である。
【図１２】図１２は同じく第２段階を示す図である。
【図１３】図１３は同じく第３段階を示す図である。
【図１４】図１４は同じく第４段階を示す図である。
【図１５】図１５は同じく第５段階を示す図である。
【図１６】図１６ないし図２０は施解錠時におけるキー２３の回転と強制下げタンブラー２０およびタンブラー板１５の動きとの関係を説明する一連の図であって、図１６はその第１段階を示す図である。
【図１７】図１７は同じく第２段階を示す図である。
【図１８】図１８は同じく第３段階を示す図である。
【図１９】図１９は同じく第４段階を示す図である。
【図２０】図２０は同じく第５段階を示す図である。
【図２１】図２１は板状タンブラーを用いた従来のタンブラー錠の一例を示すもので図２１（ａ）は縦断側面図、図２１（ｂ）は図２１（ａ）の前蓋を取外して左方から見た正面図である。
【符号の説明】
１…外ケース、１ａ…ボルト孔、２…リベット、３…内ケース、４…カバー、５…カンヌキ、６…カム受け部材（大アオリ）、６ａ…カム受け部、６ｂ…カム逃し部、７…ツク、８…ねじ、９…パイプ、９ａ…内向きフランジ、９ｂ…切欠ぎ、１０…前スリーブ、１０ａ…平行切欠部、１０ｃ…鍵穴、１１…後スリーブ、１１ａ、１１ｂ…平行切欠部、１１ｃ…鍵穴、１１ｄ…円筒部、１１ｅ…フランジ部、１２…カム（ロッキングプレート）、１３…カラー、１４…カムストッパー、１５…タンブラー板、１５ａ…角孔（空所）、１５ｂ…ツク孔、１５ｃ…ゲート孔、１５ｄ…バネ受けスリット、１５ｅ…ピン受け肩、１５ｆ…腹、１６…タンブラー保持ピン、１６ａ…円周溝、１６ｂ…メネジ孔、１７…タンブラーバネ、１８…バネ芯、２０…強制下げタンブラー、２０ａ…後スリーブ挿入孔、２０ｂ…肩部、２０ｃ…バネ受けスリット、２０ｄ…角孔、２１…強制下げピン、２３…キー、２３ａ…回転軸線、２３ｂ、２３ｃ…キザミ、２３ｄ…切込み、２５…キャップ。
【図１】
2004244927.tif 000003
【図２】
2004244927.tif 000004
【図３】
2004244927.tif 000005
【図４】
2004244927.tif 000006
【図５】
2004244927.tif 000007
【図６】
2004244927.tif 000008
【図７】
2004244927.tif 000009
【図８】
2004244927.tif 000010
【図９】
2004244927.tif 000011
【図１０】
2004244927.tif 000012
【図１１】
2004244927.tif 000013
【図１２】
2004244927.tif 000014
【図１３】
2004244927.tif 000015
【図１４】
2004244927.tif 000016
【図１５】
2004244927.tif 000017
【図１６】
2004244927.tif 000018
【図１７】
2004244927.tif 000019
【図１８】
2004244927.tif 000020
【図１９】
2004244927.tif 000021
【図２０】
2004244927.tif 000022
【図２１】
2004244927.tif 000023